(57)【要約】【課題】  写真等のシート状の展示物を簡単に差し替え交換でき、差し替え時に展示物や透明板部分に擦りキズが生じ難く、展示物に浮きが生じない差し替え額縁を提供する。【解決手段】  透明板１１の周囲をフレーム１０で囲った額装体９の側面に形成された切欠き部１５からスライド着脱板６を挿脱させる。スライド装着マスク６にシート状展示物Ｐを保持させて切欠き部１５から額装体９に挿入すると、展示物Ｐは透明板１１の裏面に浮きが生じることなく配置され、切欠き部１５はフレーム１０と同色の蓋体１３によって閉じられる。スライド着脱板６の挿脱時には透明板１１とスライド着脱板６とが強く擦れ合うことがなく、挿入終端位置ではスライド着脱板６は透明板１１側に押し上げられる。【選択図】  図１
2008206874.tif 000002
【特許請求の範囲】
【請求項１】
正面部を透明な展示窓として四方側面を形成した枠体の背面開放部を前記展示窓と所定間隔を隔てて裏板で閉じ、枠体の側面に設けられた開口部から展示窓と裏板との間の間隙内に展示物を挿脱させる差し替え額縁であって、前記展示物を保持して前記開口部から展示窓と裏板との間の間隙内に挿脱される板状体の挿入方向後端側に前記裏板側に突出する凸部を設けると共に、挿入された前記板状体の挿入方向先端側に対応する位置の裏板上に展示窓側に突出する凸部を設けた挿脱構造を備えてなることを特徴とする差し替え額縁。
【請求項２】
正面部を透明な展示窓として四方側面を形成した枠体の背面開放部を前記展示窓と所定間隔を隔てて裏板で閉じ、枠体の側面に設けられた開口部から展示窓と裏板との間の間隙内に展示物を挿脱させる差し替え額縁であって、前記展示物を保持して前記開口部から透明窓と裏板との間隙内に挿脱される板状体の挿入方向先端側及び後端側に枠体側面方向に突出する凸部を設け、枠体側面内側に前記凸部のスライド移動を案内する案内溝を挿入終端側において裏板側から透明窓側に湾曲するように形成したスライド案内手段を設けた挿脱構造を備えてなることを特徴とする差し替え額縁。
【請求項３】
凸部が転動体に形成されてなる請求項１又は２に記載の差し替え額縁。
【請求項４】
正面部を透明な展示窓として四方側面を形成した枠体の背面開放部を前記展示窓と所定間隔を隔てて裏板で閉じ、枠体の側面に設けられた開口部から展示窓と裏板との間の間隙内に展示物を挿脱させる差し替え額縁であって、前記開口部が設けられた側面を除く任意側面の側で且つ展示窓側を回動支点として展示窓と裏板との間で回動可能に設けられた展示物保持板と、前記展示物保持板の回動を操作する回動操作手段とを設けた挿脱構造を備えてなることを特徴とする差し替え額縁。
【請求項５】
回動操作手段は、開口部を開閉可能に閉じる蓋体に設けられ、蓋体を閉じる動作に応じて裏板側にある展示物保持板の回動部位を展示窓側に移動させる押出部材を作用させ、蓋体を開く動作に応じて前記押出部材の作用を元に戻すように構成されてなる請求項４に記載の差し替え額縁。
【請求項６】
正面部を透明な展示窓として四方側面を形成した枠体の任意側面に前記展示窓の裏面に通じる切欠き部を形成すると共に展示窓の裏面と所定間隔を隔てて枠体の背面開放部を裏板で閉じてなる額装体と、板面上にシート状の展示物又は展示物とマスク台紙とを保持して前記切欠き部から展示窓と裏板との間に挿脱されるスライド着脱板と、スライド着脱板の裏板と対面する面の挿入先端側に凹部を形成すると共に挿入後端側に凸部を形成し、裏板のスライド着脱板と対面する面に前記凹部に対応する凸部を設けた係合押上げ手段とを備えてなることを特徴とする差し替え額縁。
【請求項７】
スライド着脱板の挿入後端側に、スライド着脱板を挿入終端位置まで挿入したとき切欠き部を閉じる蓋体が設けられてなる請求項６に記載の差し替え額縁。
【請求項８】
透明板がスライド着脱板の板面上を被覆して配設され、スライド着脱板を額装体に装着したとき枠体の展示窓部分に透明板が配置されるように構成されてなる請求項６又は７に記載の差し替え額縁。
【請求項９】
透明樹脂により展示窓の周囲に正面側に膨出するように表面枠部を形成し、所定高さに側面部を設けた函状に形成すると共に任意側面に展示窓の裏面に通じるように表面切欠き部を形成してなる表面フレームと、任意色の樹脂により前記表面枠部の内側に嵌挿できる幅に形成した裏面枠部で囲んでシート状の展示物を収容する展示物収容面を形成し、前記裏面枠部を表面枠部に嵌挿させたとき前記展示窓の裏面と前記展示物収容面との間に所定の間隔が形成される高さに裏面枠部を形成して前記表面切欠き部に対応する位置に裏面切欠き部を形成してなる裏面フレームとを備えてなることを特徴とする差し替え額縁。
【請求項１０】
表面切欠き部を埋めることができる形状、寸法の外装体の内側に展示物又は展示物を保持したマスク台紙の一端を挟持する挟持手段を備えた蓋体が設けられてなる請求項９に記載の差し替え額縁。
【請求項１１】
少なくとも正面部を透明樹脂面として背面を開放し、任意側面にスリット又は開放部を形成して函状に形成された展示ケースと、前記正面部の裏面との間に所要寸法の間隙を確保して展示ケースの背面開放部を閉じる裏板と、前記任意側面の開放部を開閉可能に閉じる蓋体とを備えてなることを特徴とする差し替え額縁。
【請求項１２】
スリット又は開放部から挿脱される展示物又は展示物を保持した板状体の挿脱移動経路が、挿入終端位置近傍においては正面部側で、その他の位置においては裏板側となる挿脱構造を備えてなる請求項１１に記載の差し替え額縁。
【請求項１３】
展示ケースの正面部周縁及び側面を被覆して枠体が装着され、任意側面に対応する枠体はスリット又は開放部を開閉可能に閉じる蓋体に構成されてなる請求項１１又は１２に記載の差し替え額縁。
【請求項１４】
額縁の掲示方向を縦位置と横位置とに変換する掲示方向切換手段が設けられてなる請求項１〜１３いずれか一項に記載の差し替え額縁。
【発明の詳細な説明】
【技術分野】
【０００１】
本発明は、写真などシート状の展示物の差し替え交換を容易に行い得るようにした差し替え額縁に関するものである。
【背景技術】
【０００２】
デジタル写真の進展によって銀塩フィルムでは不可欠であったＤＰＥの手順をふむことなく、プリンタによって自由なサイズに引き延ばした写真を簡単に作成することが可能になった。引き伸ばした写真は額縁にいれると、写真をより引き立てることができる。写真は書画とは異なり一度に多くの作品を生み出し、デジタル写真では何枚もの写真をプリントアウトすることも多くなる。その中の１点だけを額縁に入れて展示するのは惜しく、気に入った写真は全て展示したいものである。しかし、何枚もの写真を展示するには展示スペースに限度がある。そこで、１つの額縁に対して写真を簡単に入れ替えできるようにすると、いつでも写真の入れ替えが可能になる。
【０００３】
額縁の裏板を開くことなく展示物の交換ができる額縁として、額縁の側面に展示物交換用の出し入れ口を設けた構成（特許文献１参照）、額縁の前面板を開閉可能とした構成（特許文献２参照）などが知られている。
【特許文献１】実開平０７−００７５６１号公報
【特許文献２】特開２００５−１６８７５３号公報
【発明の開示】
【発明が解決しようとする課題】
【０００４】
壁面などに掲示された状態の額縁に対し、それに収容した写真などシート状の展示物を入れ替え可能にするには、従来技術として示したように、額縁の側面に展示物の出し入れ口を設けるか、額縁の前面板を開閉可能にすることが考えられる。しかしながら、額縁の側面に出し入れ口を形成することは、額縁が木製や金属製のものにあっては、その加工が容易ではない。また、額縁内に収容された展示物を取り出す際には、展示物の一端を摘んで引き出す必要があるので、指先を額縁内に差し入れることができる大きさの出し入れ口を設けか、もしくは展示物の一端が額縁の外に出ている必要があり、額縁としての外観を損なうことになり、出し入れ口から塵埃や昆虫などが額縁内に侵入する恐れもある。また、展示物を出し入れする際に展示物と透明窓部分とが擦れ合い、それが繰り返されると双方に擦りキズが生じやすく、更に展示物の出し入れが円滑になされるように隙間を大きくすると、展示物が透明窓から浮いた状態になりやすい課題があった。
【０００５】
また、前面板を開閉可能にした構成では、展示物の表面を被覆保護し、展示窓となるガラス板あるいはアクリル板などを開閉することになり、蝶番構造や閉じたときの固定構造を設ける必要があるため構造が複雑になる課題がある。
【０００６】
本発明が目的とするところは、外観を損なうことなく展示物の入れ替えを可能にすると共に、展示物と透明窓とが強く擦れ合うことがなく、挿入した展示物を透明窓に密着させることを可能にする差し替え額縁を提供することにある。
【課題を解決するための手段】
【０００７】
上記目的を達成するための本願第１発明は、正面部を透明な展示窓として四方側面を形成した枠体の背面開放部を前記展示窓と所定間隔を隔てて裏板で閉じ、枠体の側面に設けられた開口部から展示窓と裏板との間の間隙内に展示物を挿脱させる差し替え額縁であって、前記展示物を保持して前記開口部から展示窓と裏板との間の間隙内に挿脱される板状体の挿入方向後端側に前記裏板側に突出する凸部を設けると共に、挿入された前記板状体の挿入方向先端側に対応する位置の裏板上に展示窓側に突出する凸部を設けた挿脱構造を備えてなることを特徴とする。本構成によれば、展示物をスライドさせて入れ替えるように構成した場合に、展示物と透明板とが擦れ合って擦りキズが生じやすく、透明板から展示物が浮いた状態になりやすい課題が解決される。即ち、挿入された板状体はその挿入終端位置直前において裏板に設けられた凸部に乗り上げ、板状体に設けられた凸部は裏板上に乗り上げるので、スライド着脱板は透明板側に押上げられて展示物を透明窓に密着させた状態にすることができる。板状体を額縁から引き出すときには、板状体に設けられた凸部は裏板上から外れ、挿入先端側は裏板上の凸部から外れるので、スライド移動の途上においては透明板とスライド着脱板とが密着した状態で擦れ合うことがなく、展示物の差し替えが繰り返されることによって展示物及び透明板に擦りキズが生じることが抑えられる。また、挿入終端位置において板状体に保持された展示物は透明板に押し付けられるので、展示物が透明板から浮いた状態とはならず、カールや波打ちが生じている展示物も平面性よく透明板の裏面に配置される。
【０００８】
また、本願第２発明は、正面部を透明な展示窓として四方側面を形成した枠体の背面開放部を前記展示窓と所定間隔を隔てて裏板で閉じ、枠体の側面に設けられた開口部から展示窓と裏板との間の間隙内に展示物を挿脱させる差し替え額縁であって、前記展示物を保持して前記開口部から透明窓と裏板との間隙内に挿脱される板状体の挿入方向先端側及び後端側に枠体側面方向に突出する凸部を設け、前記枠体の側面内側に前記凸部のスライド移動を案内する案内溝を挿入終端側において裏板側から透明窓側に湾曲するように形成したスライド案内手段を設けた挿脱構造を備えてなることを特徴とする。本構成によれば、側面開口部から枠体内に挿入された板状体は、それに設けられた凸部が案内溝に沿って移動し、挿入終端位置直前において案内溝が展示窓側に湾曲していることから板状体は展示窓側に誘導されるので、板状体は裏板寄りの位置から展示窓側に移動する。逆に板状体を抜き出すときには凸部は案内溝の裏板寄りの部分に案内されて移動するので、挿脱移動の途上においては板状体上に保持された展示物は展示窓と擦れ合うことがなく、挿脱が繰り返されることによって展示窓に擦りキズが生じることが抑えられる。また、挿入された展示物は展示窓側に押し付けられるので、展示窓から浮いた状態とならず平面性よく展示される。
【０００９】
上記第１及び第２の各発明において、凸部は転動体とすることにより、摺動摩擦が少なく、板状体のスライド動作が円滑になされる。また、凸部が磨耗することによって押し上げ機能が低下することを抑制することができる。
【００１０】
また、本願第３発明は、正面部を透明な展示窓として四方側面を形成した枠体の背面開放部を裏板で閉じ、枠体の側面に設けられた開口部から展示窓と裏板との間の間隙内に展示物を挿脱させる差し替え額縁であって、前記開口部が設けられた側面を除く任意側面の側で且つ展示窓側を回動支点として展示窓と裏板との間で回動可能に設けられた展示物保持板と、前記展示物保持板の回動を操作する回動操作手段とを設けた挿脱構造を備えてなることを特徴とする。本構成によれば、回動操作手段により展示物保持板が裏板側に傾斜した状態に操作されているときには、展示窓と展示物保持板との間に大きな間隙が形成されているので、開口部から展示物を挿入することが容易で、挿入された展示物は展示物保持板上をスライドし、展示窓と擦れ合うことなく所定位置まで挿入できる。従って、展示物の挿脱が繰り返されることによって展示窓に擦りキズなどが発生することが防止される。展示物を挿入した後、回動操作手段により展示物保持板を展示窓側に回動させると、展示物は展示窓に押し付けられた状態になるので、カールや波打ちが生じている展示物も平面性よく展示される。
【００１１】
上記構成において、回動操作手段は、開口部を開閉可能に閉じる蓋体に設けられ、蓋体を閉じる動作に応じて裏板側にある展示物保持板の回動部位を展示窓側に移動させる押出部材を作用させ、蓋体を開く動作に応じて前記押出部材の作用を元に戻すように構成することが好適である。展示物を出し入れするために蓋体を開いたときには押出部材は作用しないので展示物保持板の回動部位は裏板側に回動して展示物の挿脱がしやすく展示物が展示窓と擦れ合わない状態となり、蓋体を閉じると押出部材の作用により展示物保持板が回動して展示物を展示窓に押し付けた状態となる。
【００１２】
また、本願第４発明に係る差し替え額縁は、正面部を透明な展示窓として四方側面を形成した枠体の任意側面に前記展示窓の裏面に通じる切欠き部を形成すると共に展示窓の裏面と所定間隔を隔てて枠体の背面開放部を裏板で閉じてなる額装体と、板面上にシート状の展示物又は展示物とマスク台紙とを保持して前記切欠き部から展示窓と裏板との間に挿脱されるスライド着脱板と、スライド着脱板の裏板と対面する面の挿入先端側に凹部を形成すると共に挿入後端側に凸部を形成し、裏板のスライド着脱板と対面する面に前記凹部に対応する凸部を設けた係合押上げ手段とを備えてなることを特徴とする。本構成によれば、額装体の任意側面に形成した切欠き部から板面上に展示物を保持したスライド着脱板を挿入すると、スライド着脱板は展示窓と裏板との間の間隙内に入って透明な展示窓の裏面に展示物が配置される。スライド着脱板は額装体の側面から抜き差しするだけなので、壁面に懸吊された状態であっても額縁を取り外すことなく展示物を容易に入れ替えることができる。また、係合押上げ手段が設けられていることにより、挿入されたスライド着脱板はその挿入終端位置直前において裏板に設けられた凸部に乗り上げ、スライド着脱板に設けられた凸部は裏板上に乗り上げるので、スライド着脱板は透明板側に押上げられて展示物を展示窓に密着させた状態にすることができ、スライド移動の途上においては展示窓とスライド着脱板とが密着した状態で擦れ合うことがなく、挿入終端位置において裏板に設けられた凸部にスライド着脱板に設けられた凹部が嵌り合うので、スライド着脱板は挿入位置にロックされる。
【００１３】
上記構成において、スライド着脱板の挿入後端側に、スライド着脱板を挿入終端位置まで挿入したとき切欠き部を閉じる蓋体を設けることが好適で、スライド着脱板を挿入すると額装体の側面に形成された切欠き部は蓋体によって塞がれ、外観性が向上する。蓋体は枠体と同質、同色のもので構成することにより、外観性はより向上する。
【００１４】
また、透明板がスライド着脱板の板面上を被覆して配設され、スライド着脱板を額装体に装着したとき枠体の展示窓部分に透明板が配置されるように構成すると、透明板の裏面に展示物やマスク台紙を挿入することができ、マスク台紙の交換も容易に実施できる。
【００１５】
また、本願第５発明に係る差し替え額縁は、透明樹脂により展示窓の周囲に正面側に膨出するように表面枠部を形成し、所定高さに側面部を設けた函状に形成すると共に任意側面に展示窓の裏面に通じるように表面切欠き部を形成してなる表面フレームと、任意色の樹脂により前記表面枠部の内側に嵌挿できる幅に形成した裏面枠部で囲んでシート状の展示物を収容する展示物収容面を形成し、裏面枠部を表面枠部に嵌挿させたとき前記展示窓の裏面と前記展示物収容面との間に所定の間隔が形成される高さに裏面枠部を形成して前記表面切欠き部に対応する位置に裏面切欠き部を形成してなる裏面フレームとを備えてなることを特徴とする。本構成によれば、透明な表面フレームに任意色の裏面フレームを合体させると、表面枠部の中に裏面枠部が嵌挿されて展示窓の周囲に任意色の枠を形成した額縁に構成できる。表面フレーム及び裏面フレームの側面に展示窓の裏面に通じる切欠き部を形成することにより、表面フレームに裏面フレームを合体させたときに展示窓と展示物収容面との間にできる間隙に展示物を挿入することができる。
【００１６】
上記構成において、表面切欠き部を埋めることができる形状、寸法の外装体の内側に展示物又は展示物を保持したマスク台紙の一端を挟持する挟持手段とを備えた蓋体を設けることにより、展示物又は展示物を保持したマスク台紙の一端を挟持した蓋体によって切欠き部を塞ぐことができる。外装体は表面フレームと裏面フレームとが重なった状態に近似の外装とすることにより、外観性をより向上させることができる。また、挟持手段によって展示物あるいはマスク台紙の一端を挟持できるので、展示物の出し入れ交換が容易になる。
【００１７】
また、本願第６発明に係る差し替え額縁は、少なくとも正面部を透明樹脂面として背面を開放し、任意側面にスリット又は開放部を形成して函状に形成された展示ケースと、前記正面部の裏面との間に所要寸法の間隙を確保して展示ケースの背面開放部を閉じる裏板と、前記任意側面の開放部を開閉可能に閉じる蓋体とを備えてなることを特徴とする。本構成によれば、展示ケースの側面に形成されたスリット又は開放部から展示物又はマスク台紙に保持した展示物を挿入すると、展示ケースの正面部と裏板との間に形成された間隙内に展示物を配置し、透明な正面部から展示することができ、側面開放部は蓋体によって閉じると、開放部が見える外観性の低下も解消される。
【００１８】
上記構成において、スリット又は開放部から挿脱される展示物又は展示物を保持した板状体の挿脱移動経路が、挿入終端位置近傍においては正面部側で、その他の位置においては裏板側となる挿脱構造を備えて構成することにより、展示物又は展示物を保持したマスク台紙などの板状体を展示ケースに挿脱させるとき、展示物又はマスク台紙は透明な正面部とが擦れ合うことがなく、板状体が挿入されたときには展示物又はマスク台紙は正面部に押し付けられるので、展示物を平面性よく展示することができる。
【００１９】
また、展示ケースの正面部周縁及び側面を被覆して枠体が装着され、任意側面に対応する枠体はスリット又は開放部を開閉可能に閉じる蓋体に構成することにより、通常の額縁と同様の外観が得られる。展示ケースの側面にスリット又は開放部が形成されていることによる強度の低下は、展示ケースの背面開放部に裏板を固定することにより補われて所要の強度が確保されているので、枠体は装飾体として構成することができ、任意色、柄のものを装着することによって多様な外観に展開することが可能となる。
【００２０】
上記各構成において、額縁の掲示方向を縦位置と横位置とに変換する掲示方向切換手段を設けることが好適である。展示物の大多数は長方形であり、縦位置、横位置のものが混在する。展示物を差し替え交換する毎に額縁の方向を変更することは、壁面に懸吊された額縁では、その都度取り外すことになり、差し替えにより展示物の入れ替えを容易にした意味が半減する。額縁に掲示方向切り換え手段を設けることにより、掲示方向の切り換えを簡単に行うことができ、差し替えが簡単な方向に展示物の出し入れ位置を設定して、展示物の差し替えを行った後、額縁を縦位置、横位置に変更することを簡単に行うことが可能となる。
【発明の効果】
【００２１】
本発明によれば、額縁内に入れる展示物の入れ替えを壁面などに懸吊された額縁であっても簡単に行い得る差し替え額縁を提供することができる。展示物が写真である場合に、それは多くの作品を生み出し、デジタル写真の進展によって、その傾向はより顕著になっている。それらの作品を入れ替え展示したい要求があり、それを実現するには額縁を掲示位置から取り外し、額縁を開いて展示物の交換を行うのでなく、差し替えによって交換できると写真などの展示物の交換が容易となる。この展示物の差し替え交換が可能な差し替え額縁の課題、即ち、スライド移動に伴うキズの発生や展示物が透明な展示窓から浮いた状態になる課題は、本発明の構成によって解決される。
【発明を実施するための最良の形態】
【００２２】
図１は、第１の実施形態に係る差し替え額縁１の構成を示すもので、各構成要素は樹脂成形によって形成しているが、差し替え額縁１の枠体を構成するフレーム１０を木材、金属等によって形成することも可能である。また、ここではフレーム１０は、樹脂成形によって一体に形成しているが、サイズが比較的大きなものに構成する場合や木材、金属によって製作する場合には、差し替え額縁１の辺毎に分割して各コーナー部分で接合したものとすることができる。
【００２３】
図２（ａ）にＡ−Ａ線矢視断面図として示すように、フレーム１０の内側には透明樹脂（ポリスチレン樹脂、メタクリル樹脂等）によって形成された透明板１１が配設され、この透明板１１は裏板１２をフレーム１０に固定することにより位置固定され、額装体９に形成される。フレーム１０の一側面には切欠き部１５が形成され、この切欠き部１５に対応する裏板１２の側部にも裏板切欠き２７（図４参照）が形成されている。切欠き部１５から透明板１１と裏板１２とが所定間隔を隔てて対面する間隙内に、写真等シート状の展示物Ｐを保持したスライド着脱板（板状体）６を挿脱させることができる。
【００２４】
前記スライド着脱板６は、断面Ｌ字状に形成されたスライド基板１６の透明板１１に対面する正面側には保持枠３３が設けられ、展示物Ｐを保持したマスク台紙１７が挿脱可能に装着される。また、スライド基板１６にはフレーム１０と同質、同色の蓋体１３が接合されている。スライド基板１６の裏板１２と対面する背面側には、挿入先端側にロック凹部（係合押上げ手段）２２と、挿入後端側に押上げ凸部（係合押上げ手段）２３が形成されている。
【００２５】
図３は、前記裏板１２の構成を示すもので、前記スライド基板８に形成されたロック凹部２２と対応する位置にロック凸部（係合押上げ手段）２５が形成され、フレーム１０の切欠き部１５に対応する一端側に裏板切欠き２７が形成され、その中央部にスライド着脱板６を引き出すときの指穴２６が形成されている。この裏板１２は、ネジ止め等の手段によってフレーム１０に固定される。
【００２６】
上記構成において、フレーム１０内に挿入された状態にあるスライド着脱板６は、裏板１２に形成された指穴２６に指先を入れると、スライド着脱板６の一端に指先を掛けることができるので、スライド着脱板６を額装体９の側面から引き出すことができる。引き出したスライド着脱板６に対し、それに設けられた保持枠３３に、図４に示すように構成されたマスク台紙１７を挿入すると、マスク台紙１７とスライド基板１６との間に展示物Ｐを挿入することができ、展示物Ｐはその周囲をマスク台紙１７に被覆された状態にしてスライド着脱板６に保持させることができる。
【００２７】
展示物Ｐを収容したスライド着脱板６をフレーム１０の切欠き部１５から挿入すると、スライド着脱板６は裏板１２上をスライドし、挿入終端位置直前において裏板１２に形成されたロック凸部２５に乗り上げ、その直後にロック凹部２２がロック凸部２５に嵌り合い、挿入終端位置にスライド着脱マスク８はロックされる。前記ロック凸部２５の高さはロック凹部２２の深さよりやや大きく形成され、挿入終端位置に達する直前においてスライド基板１６に形成された押上げ凸部２３が裏板１２上に乗り上げるので、図２（ｂ）に示すように、スライド着脱板６は透明板１１側に押し付けられ、マスク台紙１７が透明板１１に密着した状態になる。
【００２８】
逆に、スライド着脱板６を引き出すときには、ロック凹部２２とロック凸部２５との嵌合が外れ、押上げ凸部２３は裏板１２の外に出るので、スライド着脱板６は裏板１２上をスライドして外部に引き出される。即ち、スライド着脱板６を挿脱するとき、マスク台紙１７と透明板１１とが強く擦れ合うことがないので、双方に擦りキズが生じることが防止できる。スライドによる差し替え式にして展示物の交換を簡単にした額縁の場合に、摺動要素と固定要素とが擦れ合って双方に擦り傷が生じやすく課題があったが、上記構成により擦りキズが生じて外観に支障が生じる部分には擦りキズが発生しないので、長期にわたって損傷が生じない差し替え額縁１とすることができる。
【００２９】
スライド着脱板６をフレーム１０内に挿入すると、フレーム１０の側面に形成された切欠き部１５は、スライド着脱板６の側面に固定されたフレーム１０と同質、同色の蓋体１３によって閉じられるので、差し替え額縁１の外観は切欠き部１５が見えない状態となる。また、スライド着脱板６の挿入によって切欠き部１５が形成されていることに伴うフレーム１０の強度低下も補われる。
【００３０】
上記構成において、スライド着脱板６を用いることなく、展示物Ｐ又は展示物Ｐを貼着したマスク台紙を切欠き部１５から透明板１１に裏面に挿入することによっても展示物Ｐの差し替え交換は可能である。しかし、切欠き部１５を塞ぐ手段を別途設ける必要があり、展示物Ｐを透明板１１に密着させる機能はないので、小サイズの展示物Ｐを収容する安価な差し替え額縁に構成する場合に利用できる。また、上記構成におけるスライド着脱板６は、厚紙によって形成したマスク台紙の裏面に押上げ凸部２３を形成した薄いスライド基板１６を取り付けた構造とし、マスク台紙とスライド基板１６との間に展示物Ｐを挟持させるように構成することもできる。
【００３１】
上記構成に用いるマスク台紙１７は、図４に示すように、板紙で形成された正面マスク３４と背面マスク３５とを貼着して構成され、背面マスク３５には展示物Ｐのサイズに対応する切欠き３５ａが形成され、正面マスク３４には前記切欠き３５ａに挿入された展示物Ｐの展示領域を露出させる開口部３４ａが形成されている。また、正面マスク３４は、その三方辺が背面マスク３５の外形より小さく形成され、前記保持枠３３に挿入したとき、正面マスク３４の表面がマスク保持枠３３の正面から出るような厚さとし、スライド着脱板２０が押し上げられたとき透明板１１に密着し、正面マスク３４に展示物Ｐが密着するようにしている。
【００３２】
展示物Ｐが写真であるとき、銀塩フィルムではＤＰＥによって、デジタル写真ではプリンタによって様々な規格サイズに写真が仕上げられる。従来の額縁は展示物のサイズ毎に用意されているため、仕上げられた写真を額縁に入れようと思っても、そのサイズに合う額縁が手元になければ額装することができない。大きなサイズの写真は別にしても一般的に多く仕上げられる比較的小さいサイズの写真であれば、サイズを問わず１つの額縁に収容できるように構成されていると、その額縁があれば仕上がった写真を思い立ったときに額装することができる。また、額縁のサイズを意識することなく写真を仕上げることができる。このような複数サイズに対応する差し替え額縁１とするためには、それに適用するマスク台紙をサイズ毎に用意する。
【００３３】
図５は、上記目的に好適なマスク台紙１８の構成を示すもので、ここではデジタル写真における４サイズのプリンタ用紙を展示物Ｐとして収容できるようにしている。プリンタ用紙として一般に利用されているサイズは、Ｌサイズ（81×127ｍｍ）、２Ｌサイズ（127×178ｍｍ）が多く、それに加えてＫＧサイズ（102×152ｍｍ）があり、増加傾向にあるサイズとしてハイビジョンサイズ（89×158ｍｍ）が存在する。一般ユーザが使用するプリンタの多くはＡ４サイズ以下のプリンタ用紙に対応するものであり、主に２Ｌサイズ以下のものが多く使用されている。ここでは、プリンタ用紙のサイズ毎に額縁を用意するのでなく、２Ｌサイズ以下のプリント用紙を１つの差し替え額縁１に差し替えにより収容できるようにしている。また、マスク台紙１８は、展示物Ｐがプリントアウトされた写真である場合には、プリント用紙の厚さよりやや厚い程度の板紙により背面マスク３５を形成し、それらを図示するように貼り合せることで安価に形成することができる。
【００３４】
マスク台紙１８は、先に示したマスク台紙１７の背面マスク３５の上に挿入ガイド３６を配した構造としたもので、板紙を３枚重ねに貼り合せて構成されている。展示物Ｐの展示領域を露出させる開口部３４ａを形成した正面マスク３４に展示物Ｐのサイズに対応する切欠き３５ａを形成した背面マスク３５を貼り合せ、背面マスク３５の上に展示物Ｐのサイズに対応する切り込み３６ａと折曲線３６ｂとを設けた挿入ガイド３６を貼り付けている。図５に示すように、挿入ガイド３６は切り込み３６ａで両側を分離したガイド辺３６ｃを折曲線３６ｂから外に開くと、展示物Ｐを正面マスク３４に裏面に挿入し、取り出す作業がしやすい状態となる。展示物Ｐを挿入してガイド辺３６ｃを背面マスク３５の切欠き３５ａに戻すと展示物Ｐはマスク台紙１８に挟持された状態になる。このマスク台紙１８を差し替え額縁１の付属品として展示物Ｐのサイズ毎の複数枚を添付しておくと、ユーザは額装したい展示物Ｐをそれに対応するサイズのマスク台紙１８に挿入し、このマスク台紙１８をスライド着脱板６に装着して額装体９に挿入する簡単な作業で展示物Ｐの額装が完了する。また、同一サイズであっても正面マスク３４の色が異なるものを複数用意することにより、展示物Ｐの絵柄や色調にマッチする色調のものを用いることができ、展示物Ｐをより引き立てて展示することができる。
【００３５】
上記構成になる差し替え額縁１は、図６に示すように、スライド基板２８の表面側に形成された展示物収容凹部３０及びマスク収容凹部３１を被覆して透明板１１が取り付けた構成とすることもできる。スライド着脱板７が挿入されていない状態においては、額装体９側には透明板１１がない状態となる。前記展示物収容凹部３０に展示物Ｐを挿入し、マスク収容凹部３１にマスク台紙を挿入すると、透明板１１の裏面にマスク台紙で周囲を被覆された状態に展示物Ｐを配置することができる。展示物Ｐを両面テープ等によりマスク台紙に貼着して挿入することも可能であるが、それぞれ別個に挿入すると、マスク台紙だけを交換することができる。
【００３６】
本構成においても第１の実施形態において示したものと同様に、裏板１２にロック凸部２５が形成され、スライド基板２８にロック凹部２２及び押上げ凸部２３が形成されているので、挿入途上のスライド状態ではスライド基板２８が裏板１２上をスライドするので、スライド着脱マスク７を着脱する際にフレーム１０と透明板１１とが擦れ合うことがなく、スライド着脱マスク７の挿入完了時には透明板１１はフレーム１０の内縁に押し付けられる。
【００３７】
以上説明した各構成において、スライド着脱板６，７を展示窓側に押し上げるための構成である押上げ凸部２３、ロック凸部２２は板面上の突起として形成しているが、スライド動作が円滑になされない場合や磨耗による機能低下がある場合では、それらをローラ又はボール（転動体）の円弧部分が板面上に突出するように構成すると、スライド動作は円滑になされ、磨耗を抑えることができる。
【００３８】
また、上記各構成に示したスライド着脱板６，７のスライド挿脱構造は、図７に示すように、案内溝８３を設けたスライド挿脱構造とすることもできる。図示するように、スライド着脱板Ｓの挿入先端側及び挿入後端側の側辺にそれぞれ凸部８１を設けると共に、側辺に対応する上下側面に案内溝８３が形成されたスライド案内板８２を固定したスライド挿脱構造である。尚、図７においては、下側のスライド案内板８２のみを表示しているが、上側の凸部８１に対応して上側にも同様構造のスライド案内板が配置される。案内溝８３に凸部８１が嵌り合うようにしてスライド着脱板Ｓを挿入すると、スライド着脱板Ｓは裏板寄りをスライド移動し、挿入終端位置の直前において案内溝８３を展示窓側に湾曲させた先端湾曲溝部８３ｂに凸部８１が案内され、挿入後端側は凸部８１が後端湾曲溝部８３ａに案内されることから、スライド着脱板Ｓは裏板側から展示窓側に移動する。本構成においても凸部８１は転動体によって構成することにより、スライド着脱板Ｓのスライド移動が円滑になり、磨耗による機能低下を防ぐことができる。
【００３９】
図８は、第２の実施形態に係る差し替え額縁２の構成を示すもので、比較的小サイズのシート状の展示物Ｐを収容するのに適した樹脂製額縁に構成したものである。本構成は透明樹脂によって成形された表面フレーム４１と、任意色樹脂によって成形された裏面フレーム４２との２つの構成要素によって簡易に構成されている。図示するように、表面フレーム４１は、その周縁部を正面側に突出させた表面枠部４３が形成され、この表面枠部４３に囲まれた平面部分は展示物Ｐの展示窓４４となる。また、裏面フレーム４２も同様に、その周縁部を正面側に突出させた裏面枠部４５が形成され、この裏面枠部４５に囲まれた平面部分は展示物Ｐを収容する展示物収容部４６となる。
【００４０】
図９に断面図として示すように、前記裏面枠部４５の突出高さは、表面枠部４３の展示窓４４からの突出高さより大きく形成されており、図示するように表面枠部４３に裏面枠部４５を嵌挿させて表面フレーム４１に裏面フレーム４２を合体させると、展示窓４４の裏面と展示物収容部４６の表面との間に所定間隔の間隙が形成される。表面フレーム４１及び裏面フレーム４２の同一側面には、それぞれ同一形状に表面切欠き部４７及び裏面切欠き部４８が形成されており、表面フレーム４１と裏面フレーム４２とを合体させたとき、表面切欠き部４７及び裏面切欠き部４８から展示窓４４と展示物収容部４６との間に形成された間隙に通じる展示物出し入れ通路が形成される。即ち、合体させた表面フレーム４１と裏面フレーム４２との間に写真等の展示物Ｐあるいはマスク台紙１７と展示物Ｐとを出し入れすることができる。
【００４１】
本構成においては、表面フレーム４１は透明樹脂で成形され、裏面フレーム４２は着色樹脂で成形されているため、両者を合体させたとき表面枠部４３から裏面枠部４５の色が透かし見える状態となり、展示窓４４の周囲に着色された枠が形成される。従って、裏面フレーム４２を異なる色で成形し、それらを表面フレーム４１と組み合わせることにより複数色の差し替え額縁２を提供することを簡易に実施することができる。また、裏面枠部４５の表面に真空メッキ等の手段により金属色を施すと、金属調の枠を形成することができる。また、裏面枠部４５の表面に木目模様あるいは繊維模様などを施すと、木目調あるいは繊維調の枠を形成することができる。
【００４２】
また、表面枠部４３と裏面枠部４５との間に、任意色又は任意柄のシートを挟み込んで表面フレーム４１と裏面フレーム４２とを合体させると、任意色又は任意柄の枠が形成された差し替え額縁２に構成することができる。また、表面フレーム４１及び裏面フレーム４２は、それぞれ表面切欠き部４７及び裏面切欠き部４８を設けることなく、両者の着脱を可能に構成することにより、展示物Ｐの交換は可能である。但し、展示物Ｐの出し入れが不便になることは否めない。
【００４３】
上記差し替え額縁２は外観上において、側面に表面切欠き部４７及び裏面切欠き部４８による欠損部分が見えるのは好ましくない場合では、前述の実施形態において示したように欠損部分を塞ぐ蓋を設けるのが好適である。しかし、ただ単に蓋を設けただけでは蓋を紛失しやすく、展示物Ｐの出し入れも面倒になる。この課題を解決する実施形態について次に説明する。
【００４４】
図１０は、上記差し替え額縁２における側面の欠損部分を塞ぐ蓋体５０を設けた実施形態を示すもので、蓋体５０は展示物Ｐの一端を挟持する挟持手段の機能を備えている。蓋体５０を構成する展示物受台５１は、裏面フレーム４２と同質、同色の材料によって形成され、外面には表面フレーム４１と同質、同色の材料によって形成された表面板（外装体）４９が接合されている。図１１に示すように、展示物受台５１に形成されたバネ収容穴５２には、図１０に示すように断面がＶ字状に形成された板バネ５３が収容され、展示物受台５１の側壁に形成された枢支穴５４には、断面Ｌ字状に形成された止め板５５が回動自在に枢支される。
【００４５】
板バネ５３により止め板５５は展示物受台５１側に付勢されているので、付勢に抗して止め板５５の先端を引き上げ、展示物受台５１上に展示物Ｐの一端を載せ、止め板５５の引き上げを解除すると、板バネ５３の付勢により止め板５５によって展示物Ｐは展示物受台５１との間で挟持される。展示物Ｐを表面フレーム４１と裏面フレーム４２との間に挿入し、蓋体５０を押圧して挿入し終えると、蓋体５０は表面切欠き部４７及び裏面切欠き部４８の中に収まり、切欠きによる側面の欠損部分を塞ぐことができる。蓋体５０の表面は裏面フレーム４２と同質、同色の展示物受台５１の表面を表面フレーム４１と同じ透明板である表面板４９で被覆しているので、額縁３の側面と同一外観となり、切欠きによって生じた欠損部分は違和感なく塞がれる。
【００４６】
上記蓋体５０によって展示物Ｐと共にマスク台紙を挟持することにより、展示物Ｐを引き立てると同時に挿入しやすい状態を得ることができる。図１２に示すように、マスク台紙５６は２つ折り構造にしたものが好適で、開口部がない台紙５６ａの内面に展示物Ｐを両面テープ等により固定し、台紙５６ａの上に開口部を形成した枠紙５６ｂを折り重ねると、開口部から展示物Ｐの要部を露出させることができる。このマスク台紙５６は、蓋体５０によって挟持するための挟持部５６ｃを設けた寸法に形成することが好ましく、展示物Ｐを額縁３の中心位置に配置することができる。
【００４７】
図１３（ａ）は、第３の実施形態に係る差し替え額縁３の構成を示すもので、基本的な形態は図示するように透明樹脂により函状に形成した展示ケース６０の側面から展示物Ｐを出し入れするように構成されている。展示ケース６０は透明樹脂（メタクリル樹脂、ポリスチレン樹脂等）により背面及び任意側面を開放した函状に成形され、背面開放部を裏板６１によって閉じることにより任意側面を開放した強度低下を抑えている。開放された側面は蓋板６３によって開閉可能に閉じられる。
【００４８】
また、図１３（ｂ）に示すように、展示ケース６０の正面展示面６０ａの周縁及び側面を被覆してフレーム６４を装着することができる。展示ケース６０はそれ自体で展示物Ｐの収容ケースを構成し、裏板６１を固定することにより所要の強度が確保されているので、フレーム６４は装飾体として簡易に構成することができる。フレーム６４を装着した場合には、開放側面に位置するフレーム６４の側面部６４ａを前記蓋板６３に貼着し、蓋板６３を開いたときにはフレーム６４の側面部６４ａも展示ケース６０から開くようにするのが好適である。
【００４９】
また、任意側面の全体を開放するのでなく、展示物Ｐ又は展示物Ｐを保持したマスク台紙を展示ケース６０内に対し出し入れすることができるスリットを設けても同様の差し替え構造に構成することができる。また、裏板６１に展示物Ｐ又は展示物Ｐを保持したマスク台紙を保持させ、その裏板６１を開放側面から出し入れすることにより、展示物Ｐの差し替え構造とすることもできる。本構成においては、展示物Ｐを挿脱する際に展示ケース６０の正面展示面６０ａと展示物Ｐとが擦れ合うことによる擦りキズの発生を防止し、展示物Ｐを挿入したときには正面展示面６０ａから展示物Ｐが浮いた状態にならず、カールや波打ちが生じている展示物Ｐを平面性よく収容する挿脱構造が設けられている。
【００５０】
図１４に断面図として示すように、展示ケース６０の正面展示面６０ａと、展示ケース６０の背面開放部を閉じる裏板６１との間に、展示物保持板６２が配設されている。図１４（ａ）に示すように、前記展示物保持板６２は、開放側面とは反対側の側面側で且つ正面展示面側を回動支点６２ａとして、展示物Ｐが挿入されない状態においては、開放側面側が裏板６１側に傾いた状態になっており、この展示物保持体６２上を滑らせるようにして展示物Ｐを正面展示面６０ａの裏面に挿入する。このとき展示物保持板６２の傾きを充分に大きく設定しておくことにより、展示物Ｐと正面展示面６０ａとが擦れ合うことがなく、双方に擦りキズが発生することが防止できる。前記展示物保持板６２に設ける回動支点６２ａは、特に蝶番構造を設けることなく、図１５に示すように、展示物保持板６２をポリプロピレンを樹脂材料として樹脂成形し、回動支点６２ａ部分を薄肉形成すると、薄肉部分はポリプロピレンのヒンジ効果により回動支点６２ａとして機能させることができる。
【００５１】
展示物保持板６２上に展示物Ｐを挿入した後、蓋体６３に設けられた楔状体（押出部材）６５を展示物保持板６２と裏板６１との間に差し込むことにより、図１４（ｂ）に示すように、展示物保持板６２は回動支点６２ａから回動して正面展示面６０ａ側に押し上げられ、展示物Ｐは正面展示面６０ａに押し付けられるので、展示物Ｐにカールや波打ちが生じている場合でも矯正され、平面性よく且つ正面展示面から浮いた状態とならない展示が可能となる。前記楔状体６５の全体を裏板６１と展示物保持板６２との間に差し込むことにより、側面開口部は蓋体６３によって閉じられる。
【００５２】
上記構成において、展示ケース６０の正面展示面６０ａいっぱいのサイズに展示物Ｐを収容すると、太鼓張りとも称される写真パネルのような展示状態が得られる。また、展示物Ｐを装着したマスク台紙を同様に展示ケース６０内に挿入すると、展示物Ｐの周囲をマスク台紙で囲ったギャラリーパネルのような展示状態が得られる。このように展示物Ｐだけを挿入する場合と、展示物Ｐを装着したマスク台紙を挿入する場合とでは、マスク台紙の厚さ分だけ厚さが異なることになるが、マスク台紙の厚さは２ｍｍ程度とすれば、展示物保持板６２や蓋体６３の楔状体６５の弾性変形によって吸収できる。
【００５３】
本構成になる差し替え額縁４においては、展示ケース６０により展示物Ｐを展示する構成が確保されているが、図１３（ｂ）に示したように、展示面６０ａの周囲に装飾枠としてのフレーム６４を設けることができる。通常の額縁とは異なり展示ケース６０により展示物Ｐの収容するスペースは確保されているので、フレーム６４は装飾体として簡易に構成することが可能である。
【００５４】
図１４（ｃ）に示すように、展示ケース６０の各側面に固定してフレーム６４を装着すると、図１３（ｂ）に示したように、通常の額縁と同等の外観が得られる。このとき、開放側面のフレーム６４は、スライド着脱板６２の蓋板６３に装着することができるが、図１４（ｃ）に示すように、展示ケース６０の正面展示面６０ａにフレーム６４の枠部６４ｂを固定し、側面部６４ａは蓋板６３に固定するのが好ましい構成となる。フレーム６４は任意材質により任意形状、任意色に形成することができるが、樹脂成形により形成し、表面加飾により木目調、金属調などに構成すると、様々な外観にフレーム６４を形成することができる。
【００５５】
また、フレーム６４を設けた場合には、図１４（ｃ）に示すように、展示ケース６０は正面展示面６０ａのみとし、透明板材である正面展示面６０ａを裏板６１とフレーム６４との間で挟持するように構成することもできる。
【００５６】
上記構成において、楔状体６５を設けた蓋体６３は、展示物Ｐの挿脱時には展示ケース６０から分離するようにしているが、図１６に示すように、蓋体６３の下部を裏板６１の背面側に蝶着した扉状構造とし、その開閉動作により楔状体６６を出し入れするように構成することもできる。図示するように楔状体６６は蓋体６３にリンク６７によって遊動可能に保持されており、図１６（ａ）に示す蓋体６３を開いた状態において楔状体６６は差し込み方向から傾斜して蓋体６３上に載り、展示物保持板６２に対して挿脱される展示物Ｐの挿脱空間が確保されるようにしている。この状態から蓋体６３を閉じる方向に回動させると、図１６（ｂ）（ｃ）に示すように、楔状体６６は蓋体６３に押し上げられると同時にリンク６７によって押し出され、裏板６１上を摺動して展示物保持板６２と裏板６１との間に先端部を進出させる。蓋体６３が完全に閉じられると、図１６（ｄ）に示すように、楔状体６６はその全体が展示物保持板６２と裏板６１との間に入り込むので、展示物保持板６２は展示ケース６０の正面展示面６０ａ側に押し上げられ、挿入された展示物Ｐを正面展示面６０ａに押し付けた状態にする。
【００５７】
蓋体６３を開くときには、蓋体６３の回動動作に連動するリンク６７によって楔状体６６は展示物保持板６２と裏板６１との間から引き出され、蓋体６３が９０度に開いたときには、図１６（ａ）に示す状態になり、展示物保持板６２上から展示物Ｐを引き出し、あるいは展示物保持板６２上に展示物Ｐを挿入する動作の障害にならないようにしている。
【００５８】
展示物保持板６２の回動操作構造は上記構成に限定されるものではなく、例えば図１７に示すように、裏板６１上にその表面から突出部９１突出させて回動可能に押出部材９０を配設し、前記突出部９１を蓋体６３に設けられた操作軸８９によって押圧することにより回動させ、押出部材９０に形成された押上片９３を展示物保持板６１側に立ち上げ、展示物保持板６２を回動させるように構成することもできる。また、展示物保持板６２の回動支点６２ａは掲示された状態の差し替え額縁３の下側位置とすることもでき、所要厚さの板材または棒状材を回動操作手段として裏板６１上に挿脱させて展示物保持板６２を回動操作することもできる。
【００５９】
差し替え式の額縁において、展示物Ｐの縦位置、横位置の切り換えを簡単迅速に行い得る必要がある。差し替え式の額縁は主に写真を展示対象としているため、差し替え交換する写真は縦位置、横位置のものが混在していることが多くなる。フォトスタンドのように卓上型のものでは縦位置、横位置の切り換えは簡単に行い得るが、壁面などに懸吊された額縁の縦位置、横位置の変換は容易ではなく、展示物Ｐを差し替え交換する毎に額縁を壁面から取り外すのでは差し替え式の額縁に構成する必要性がなくなる。
【００６０】
縦位置、横位置に対応するには、額縁を正方形にするのが最も簡単な構成である。額縁を正方形にした場合、マスク台紙も正方形にして展示物の縦位置、横位置に応じて開口部を切り抜くことで対処できる。しかし、マスク台紙を正方形にした場合に、展示物の上下と左右にできるマスク台紙の面積の差が大きくなるため、展示状態に違和感が生じることは否めない。写真であっても書画であっても、その形状の大多数は長方形であるため、違和感なく額装するためには長方形の額縁の縦横の向きを簡単に変更できることが好適である。以下に、壁面などに懸吊された額縁の縦横の向きを、額縁を壁面から取り外すことなく簡単に変更できる額縁の懸吊構造について説明する。
【００６１】
図１８に示すように、壁面に懸吊された差し替え額縁Ａにおいて、額縁Ａが高い位置に懸吊されていると、上側面からの展示物Ｐの差し替え交換は難しいので、原則的に差し替え交換の作業は差し替え額縁Ａを実線で示す横位置で行うものとし、横位置の展示物Ｐにあっては、そのままの懸吊位置でよく、縦位置の展示物Ｐにあっては差し替え額縁Ａを９０度回動させて破線で示す縦位置に変更する。即ち、横位置懸吊点Ｂ１を縦位置懸吊点Ｂ２に回動できるように壁面掲示具（掲示方向切り換え手段）を構成する。
【００６２】
図１９は、差し替え額縁Ａの裏面に取り付ける壁面掲示具７１の構成を示すもので、樹脂成形によって形成しているが、大型の額縁に対応する強度が要求されるときには金属プレス加工によって形成することができる。この壁面掲示具７１は、図２０に示すように、頭部にフランジを設けた額吊ネジＥに対応するものとして構成しているが、一般的な釘やネジなど頭部直径がネジ部分の直径より大きく形成されているものであれば、同様に構成することができる。
【００６３】
図１９において、壁面掲示具７１は、前記額吊ネジＥの頭部Ｅ１が入る回動溝７２の底面に額吊ネジＥの首部Ｅ２が入るガイド溝７３が形成され、回動溝７２を囲んで取付面７４が形成されている。額縁の横位置に対応する位置Ｌには、ガイド溝７３及び回動溝７２を下方に延長して懸吊ネジＥの頭部Ｅ１が通過できるネジ挿入穴７５が形成されている。このネジ挿入穴７５から懸吊ネジＥの頭部Ｅ１を回動溝７２内に入れ、額吊ネジＥの首部Ｅ２が通過できる幅のガイド溝７３が懸吊ネジＥ回りに回動できるように形成されている。この壁面掲示具７１は裏板に取り付けることになるので、裏板が額縁本体に何らかの止め具だけで取り付けられている通常の額縁では適用できないが、前述した差し替え額縁１，４では裏板１２，６１が額縁本体に固定されるので、壁面掲示具７１を適用することができる。
【００６４】
壁面に取り付けられた額吊ネジＥに対し、差し替え額縁Ａを横位置にしてネジ挿入穴７５から懸吊ネジＥの頭部Ｅ１を通過させて回動溝７２内に頭部Ｅ１を収めることにより、差し替え額縁Ａを額吊ネジＥに懸吊することができる。差し替え額縁Ａを縦位置にするときには、差し替え額縁Ａを反時計回りに回動させると、回動溝７２及びガイド溝７３で案内されて差し替え額縁Ａの縦位置に対応する位置Ｗが額吊具Ｅの位置に達して差し替え額縁Ａは横位置となる。額縁Ａの回動をより円滑に行うためには、図１８に示す額縁Ａの中心位置Ｃを回転可能に支持する別途支持具を設けることが好適である。しかし、掲示具が徒に大型化してしまうので、大型の額縁Ａに適用する場合に有効である。
【００６５】
図２１は、別態様の壁面掲示具７６の構成を示すもので、前述した縦位置懸吊点Ｂ１及び横位置懸吊点Ｂ２に切欠き７９を形成した円形のリング懸吊部７７を取付部７８により差し替え額縁Ａの裏板に取り付けるように構成している。この構成では壁面に取り付けた懸吊ネジＥにどの角度位置からでもリング懸吊部７７を引っ掛けることができ、回動させて切欠き７９に懸吊ネジＥの首部Ｅ２が嵌まり込むようにすると、差し替え額縁Ａを縦位置、横位置に懸吊することができる。
【産業上の利用可能性】
【００６６】
以上の説明の通り本発明によれば、写真等のシート状の展示物を簡単に差し替え交換できる額縁を提供することができる。デジタル写真の進展により自由なサイズに拡大した写真を自ら作成することが可能となり、作成した写真を額装したい要求も高まるが、写真のように一度に多くの作品を生み出すものでは、多くの写真を展示したいが展示スペースに制約があるため、１つの額縁に対して写真を入れ替え交換できると多くの写真を自由に入れ替えることができる。従来の額縁では展示物の入れ替えには額縁を壁面から外し、額縁を開く必要があって展示物の入れ替えは容易に行い得ないが、本発明の構成では展示物の差し替え交換が簡単に行うことができ、差し替える際に透明な展示窓と展示物とが強く擦れ合ってキズが生じることがなく、展示物を挿入し終えたときには展示物を透明な展示窓部分に押し付けることができるので、カールやシワが生じやすいシート状の展示物を平面性よく展示することができる。従って、デジタル写真の普及に伴って多くの写真を額縁に入れて展示したい要求を満たす差し替え額縁は有効なものとなる。
【図面の簡単な説明】
【００６７】
【図１】第１の実施形態に係る差し替え額縁の構成を示す斜視図。
【図２】同上構成におけるＡ−Ａ線矢視断面図。
【図３】同上構成における裏板の構成を示す斜視図。
【図４】同上構成におけるマスク台紙の構成を示す斜視図。
【図５】マスク台紙の変形例を示す斜視図。
【図６】差し替え額縁の変形例構成を示す断面図。
【図７】挿脱構造の別態様を示す斜視図。
【図８】第２の実施形態に係る差し替え額縁の構成を示す斜視図。
【図９】同上構成において表面フレームと裏面フレームとを合体させた状態の断面図。
【図１０】同上構成における展示物の挟持構造を示す断面図。
【図１１】同上構成における展示物受台の構成を示す斜視図。
【図１２】同上構成に適用するマスク台紙の構成を示す斜視図。
【図１３】第３の実施形態に係る差し替え額縁の構成を示す斜視図。
【図１４】同上構成における挿脱構造を示す断面図。
【図１５】展示物保持板の回動支点構造を示す部分断面図。
【図１６】挿脱構造の変形例動作順序を示す断面図。
【図１７】展示物保持板の回動操作構造の別態様を示す斜視図。
【図１８】額縁の縦位置、横位置の切り換えを説明する説明図。
【図１９】壁面掲示具の構成を示す（ａ）は平面図、（ｂ）はＦ−Ｆ線矢視断面図、（ｃ）はＧ−Ｇ線矢視断面図。
【図２０】額吊ネジの例を示す側面図。
【図２１】壁面掲示具の別態様を示す（ａ）は平面図、（ｂ）はＨ−Ｈ線矢視断面図。
【符号の説明】
【００６８】
１，２，３  差し替え額縁
６，７，８，Ｓ  スライド着脱板（板状体）
９  額装体
１０  フレーム
１１  透明板
１２，６１  裏板
１３，５０，６３  蓋体
１５  切欠き部
２２  ロック凹部
２３  押上げ凸部
２５  ロック凸部
４１  表面フレーム
４２  裏面フレーム
４３  表面枠部
４４  展示窓
４５  裏面枠部
４６  展示物収容部
４７  表面切欠き部
４８  裏面切欠き部
６０  展示ケース
６２  展示物保持板
６４  フレーム
６５，６６  楔状体（回動操作手段）
７１，７７  壁面掲示具（掲示方向切り換え手段）
８１  凸部
８２  スライド案内板
８３  案内溝
【図１】
2008206874.tif 000003
【図２】
2008206874.tif 000004
【図３】
2008206874.tif 000005
【図４】
2008206874.tif 000006
【図５】
2008206874.tif 000007
【図６】
2008206874.tif 000008
【図７】
2008206874.tif 000009
【図８】
2008206874.tif 000010
【図９】
2008206874.tif 000011
【図１０】
2008206874.tif 000012
【図１１】
2008206874.tif 000013
【図１２】
2008206874.tif 000014
【図１３】
2008206874.tif 000015
【図１４】
2008206874.tif 000016
【図１５】
2008206874.tif 000017
【図１６】
2008206874.tif 000018
【図１７】
2008206874.tif 000019
【図１８】
2008206874.tif 000020
【図１９】
2008206874.tif 000021
【図２０】
2008206874.tif 000022
【図２１】
2008206874.tif 000023